(57)【特許請求の範囲】
【請求項１】
表面側積層フィルムと裏面側積層フィルムのシーラント層同士が対向された状態で、周囲の所定幅が熱溶着されることにより形成され、上部側に再封手段が設けられると共に、上記再封手段と上辺の熱溶着部との間に易開封手段を有する包装袋において、
上記表面側積層フィルムの上記易開封手段は、
上記表面側積層フィルムにおいて、当該包装袋の左右外縁より始まり左右熱溶着部より内側の左右の上部変曲部まで上方から下方に向けて下り傾斜に形成された左右対称の下向傾斜切目線と、上記左右の上部変曲部から上記左右の下向傾斜切目線に連続し、中央部が上方に膨れる凸状切目線とから構成される全体として連続する上部切目線と、
上記上部切目線の下側において、当該包装袋の左右外縁より始まり左右熱溶着部より内側の左右の下部変曲部まで下方から上方に向けて上り傾斜に形成された左右対称の上向傾斜切目線と、上記左右の下部変曲部から上記左右の上向傾斜切目線に連続し、中央部が下方に膨れる凹状切目線とから構成される全体として連続する下部切目線により構成され、
上記上部切目線と上記下部切目線とは上下方向に離間して互いに接触しない状態に構成されると共に、上記上下切目線の離間距離は、上記左右の上部変曲部と上記左右の下部変曲部間が最少となる状態に構成されており、
かつ上記左右の上部変曲部と下部変曲部間に、互いに内側に開口する横向きＶ字型の誘導用切目線が、上記上部切目線と上記下部切目線に接触しない状態で各々形成されており、
上記裏面側積層フィルムの上記易開封手段は、
上記上部切目線と上記下部切目線の間に位置し、上記包装袋の左外縁から右外縁に至る直線状の切目線から構成され、
上記包装袋の左右外縁における上記下向傾斜切目線と上記上向傾斜切目線の中間位置に切込部が各々形成されているものであることを特徴とする包装袋。
【請求項２】
表面側積層フィルムと裏面側積層フィルムのシーラント層同士が対向された状態で、周囲の所定幅が熱溶着されることにより形成され、上部側に再封手段が設けられると共に、上記再封手段と上辺の熱溶着部との間に易開封手段を有する包装袋において、
上記表面側積層フィルムの上記易開封手段は、
上記表面側積層フィルムにおいて、当該包装袋の左右外縁より始まり左右熱溶着部より内側の左右の上部変曲部まで直線状に形成された上部直線状切目線と、上記左右の上部変曲部から上記左右の直線状切目線に連続し、中央部が上方に円弧状に膨れる円弧状切目線とから構成される全体として連続する上部切目線と、
上記上部切目線の下側において、当該包装袋の左右外縁より始まり左右熱溶着部より内側の左右の下部変曲部まで直線状に形成された下部直線状切目線と、上記左右の下部変曲部から上記左右の直線状切目線に連続し、中央部が下方に逆台形状に膨れる逆台形状切目線とから構成される全体として連続する下部切目線により構成され、
上記上部切目線と上記下部切目線とは上下方向に離間して互いに接触しない状態に構成され、
かつ上記左右の上部変曲部と下部変曲部間に、互いに内側に開口する横向きＶ字型の誘導用切目線が、上記上部切目線と上記下部切目線に接触しない状態で各々形成されており、
上記裏面側積層フィルムの上記易開封手段は、
上記上部切目線と上記下部切目線の間に位置し、上記包装袋の左外縁から右外縁に至る直線状の切目線から構成され、
上記包装袋の左右外縁における上記上部直線状切目線と上記下部直線状切目線の中間位置に切込部が各々形成されているものであることを特徴とする包装袋。
【請求項３】
表面側積層フィルムと裏面側積層フィルムのシーラント層同士が対向された状態で、周囲の所定幅が熱溶着されることにより形成され、上部側に再封手段が設けられると共に、上記再封手段と上辺の熱溶着部との間に易開封手段を有する包装袋において、
上記表面側積層フィルムの上記易開封手段は、
上記表面側積層フィルムにおいて、当該包装袋の左右外縁より始まり左右熱溶着部より内側の左右の上部変曲部まで上方から下方に向けて下り傾斜に形成された左右対称の下向傾斜切目線と、上記左右の上部変曲部から上記左右の下向傾斜切目線に連続し、中央部が上方に円弧状に膨れる円弧状切目線とから構成される全体として連続する上部切目線と、
上記上部切目線の下側において、当該包装袋の左右外縁より始まり左右熱溶着部より内側の左右の下部変曲部まで下方から上方に向けて上り傾斜に形成された左右対称の上向傾斜切目線と、上記左右の下部変曲部から上記左右の上向傾斜切目線に連続し、中央部が下方に逆台形状に膨れる逆台形状切目線とから構成される全体として連続する下部切目線により構成され、
上記上部切目線と上記下部切目線とは上下方向に離間して互いに接触しない状態に構成されると共に、上下切目線の離間距離は、上記左右の上部変曲部と上記左右の下部変曲部間が最少となる状態に構成されており、
かつ上記左右の上部変曲部と下部変曲部間に、互いに内側に開口する横向きＶ字型の誘導用切目線が、上記上部切目線と上記下部切目線に接触しない近接した状態で各々形成されており、
上記裏面側積層フィルムの上記易開封手段は、
上記上部切目線と上記下部切目線の間に位置し、上記包装袋の左外縁から右外縁に至る直線状の切目線から構成され、
上記包装袋の左右外縁における上記下向傾斜切目線と上記上向傾斜切目線の中間位置に切込部が形成されているものであることを特徴とする包装袋。
【請求項４】
上記裏面側積層フィルムの上記易開封手段は、２本の直線状の切目線から構成されており、当該２本の切目線が、上記上部切目線と上記下部切目線の中間に位置しているものであることを特徴とする請求項１〜３の何れかに記載の包装袋。
【請求項５】
上記上部変曲部と上記下部変曲部の上下切目線間の距離は、１ｍｍ〜５ｍｍであることを特徴とする請求項１〜４の何れかに記載の包装袋。
【請求項６】
上記包装袋の内側に吸湿フィルムが積層されているものであることを特徴とする請求項１〜５の何れかに記載の包装袋。
【発明の詳細な説明】
【技術分野】
【０００１】
本発明は、再封手段を有する包装袋において、再封手段の上方位置の易開封手段において、開封切断縁に段差を生じさせる切目線を設けた包装袋に関する。
【背景技術】
【０００２】
従来、この種の包装袋において、包装袋を構成する積層体表面に、開封用の切目線として、左端部側から１本の直線状切目線を設け、該切目線の途中から上方に膨れる切目線と下方に膨れる切目線に分岐し、右端部側において、これらの切目線を１本の直線状切目線に収束させ、積層体裏面は１本の切目線を形成し、当該包装袋を開封する際、上記切目線より上辺部を手前側に引いても、奥側に引いても、開口切断面に段差を生じさせる包装袋が提案されている（特許文献１）。
【０００３】
また、上記包装袋において、上記積層体表面の上側に膨れる切目線と下側に膨れる切目線とを上下に間隔を置いて別々の切目線として形成し、包装袋の左右の端部に切欠又は傷痕群を設け、上側又は下側の切目線に沿って開口する構成の包装袋が提案されている（特許文献２）。
【先行技術文献】
【特許文献】
【０００４】
【特許文献１】特開２０１２−９６８３９号公報
【特許文献２】特開２０１４−５１３１１号公報
【発明の概要】
【発明が解決しようとする課題】
【０００５】
ところで、特許文献１の包装袋は、１本の直線状の切目線から上側と下側に膨れる２本の切目線に分岐することにより、切目線が３方向に分岐しているため、包装袋の上記上辺部の開封方向（手前側か奥側か）、或いは開封時の力の大小等によって、上記分岐部に至った切断線が、当該３方向の分岐部から上側の切目線又は下側の切目線とは異なる方向に進行してしまい、適切な段差を形成することができない場合がある。
【０００６】
また、特許文献２の包装袋は、分岐部が存在せず、上側の切目線と下側の切目線とが分離しているので、上記特許文献１の課題は存在しないが、包装袋の端縁の切欠又は傷痕群から例えば手前又は奥側に引いて開封する場合、切断線が上側の切目線又は下側の切目線に誘導されずに、上側の切目線と下側の切目線の中間部が右端縁まで直線的に切断されてしまい、開封用の適切な段差が形成されない場合がある。
【０００７】
本発明は、上記従来の課題に鑑みてなされたものであり、切目線に沿って包装袋の上辺部を切断して開封する際に、切目線に沿って確実に誘導して適切な段差を形成し得る包装袋を提供することを目的とする。
【課題を解決するための手段】
【０００８】
上記の目的を達成するため本発明は、
第１に、表面側積層フィルムと裏面側積層フィルムのシーラント層同士が対向された状態で、周囲の所定幅が熱溶着されることにより形成され、上部側に再封手段が設けられると共に、上記再封手段と上辺の熱溶着部との間に易開封手段を有する包装袋において、上記表面側積層フィルムの上記易開封手段は、上記表面側積層フィルムにおいて、当該包装袋の左右外縁より始まり左右熱溶着部より内側の左右の上部変曲部まで上方から下方に向けて下り傾斜に形成された左右対称の下向傾斜切目線と、上記左右の上部変曲部から上記左右の下向傾斜切目線に連続し、中央部が上方に膨れる凸状切目線とから構成される全体として連続する上部切目線と、上記上部切目線の下側において、当該包装袋の左右外縁より始まり左右熱溶着部より内側の左右の下部変曲部まで下方から上方に向けて上り傾斜に形成された左右対称の上向傾斜切目線と、上記左右の下部変曲部から上記左右の上向傾斜切目線に連続し、中央部が下方に膨れる凹状切目線とから構成される全体として連続する下部切目線により構成され、上記上部切目線と上記下部切目線とは上下方向に離間して互いに接触しない状態に構成されると共に、上記上下切目線の離間距離は、上記左右の上部変曲部と上記左右の下部変曲部間が最少となる状態に構成されており、かつ上記左右の上部変曲部と下部変曲部間に、互いに内側に開口する横向きＶ字型の誘導用切目線が、上記上部切目線と上記下部切目線に接触しない状態で各々形成されており、上記裏面側積層フィルムの上記易開封手段は、上記上部切目線と上記下部切目線の間に位置し、上記包装袋の左外縁から右外縁に至る直線状の切目線から構成され、上記包装袋の左右外縁における上記下向傾斜切目線と上記上向傾斜切目線の中間位置に切込部が各々形成されているものであることを特徴とする包装袋により構成される。
【０００９】
このように構成すると、上辺部を把持して左縁部側から例えば手前引くか又は奥側に押すと、切込部から切断が開始され、切断線が誘導用切目線に至り、当該誘導用切目線から下方の凹状切目線又は上方の凸状切目線に確実に誘導されるため、円滑に開封して開口部に確実に段差を形成することができる。また、左右の傾斜切目線が外側方向に間隔が拡大しているため、製造時に、切込部を左右の下向又は上向傾斜切目線の中間位置に容易に形成することができる。
【００１０】
第２に、表面側積層フィルムと裏面側積層フィルムのシーラント層同士が対向された状態で、周囲の所定幅が熱溶着されることにより形成され、上部側に再封手段が設けられると共に、上記再封手段と上辺の熱溶着部との間に易開封手段を有する包装袋において、上記表面側積層フィルムの上記易開封手段は、上記表面側積層フィルムにおいて、当該包装袋の左右外縁より始まり左右熱溶着部より内側の左右の上部変曲部まで直線状に形成された上部直線状切目線と、上記左右の上部変曲部から上記左右の直線状切目線に連続し、中央部が上方に円弧状に膨れる円弧状切目線とから構成される全体として連続する上部切目線と、上記上部切目線の下側において、当該包装袋の左右外縁より始まり左右熱溶着部より内側の左右の下部変曲部まで直線状に形成された下部直線状切目線と、上記左右の下部変曲部から上記左右の直線状切目線に連続し、中央部が下方に逆台形状に膨れる逆台形状切目線とから構成される全体として連続する下部切目線により構成され、上記上部切目線と上記下部切目線とは上下方向に離間して互いに接触しない状態に構成され、かつ上記左右の上部変曲部と下部変曲部間に、互いに内側に開口する横向きＶ字型の誘導用切目線を、上記上部切目線と上記下部切目線に接触しない状態で各々形成されており、上記裏面側積層フィルムの上記易開封手段は、上記上部切目線と上記下部切目線の間に位置し、上記包装袋の左外縁から右外縁に至る直線状の切目線から構成され、上記包装袋の左右外縁における上記上部直線状切目線と上記下部直線状切目線の中間位置に切込部が各々形成されているものであることを特徴とする包装袋により構成される。
【００１１】
このように構成すると、下部切目線が逆台形状なので、切断線を切目線から離脱することを極力抑止しつつ、上辺部を手前に引いて切断する際、仮に上部切目線に沿って切断されたとしても、上部切目線は上に膨れる円弧状切目線であるので、裏面側の直線状の切断線との接触抵抗を低減することができ、この場合においても、切断線を切目線から離脱することなく、円滑に切断することができ、確実に段差を形成することができる。
【００１２】
第３に、表面側積層フィルムと裏面側積層フィルムのシーラント層同士が対向された状態で、周囲の所定幅が熱溶着されることにより形成され、上部側に再封手段が設けられると共に、上記再封手段と上辺の熱溶着部との間に易開封手段を有する包装袋において、上記表面側積層フィルムの上記易開封手段は、上記表面側積層フィルムにおいて、当該包装袋の左右外縁より始まり左右熱溶着部より内側の左右の上部変曲部まで上方から下方に向けて下り傾斜に形成された左右対称の下向傾斜切目線と、上記左右の上部変曲部から上記左右の下向傾斜切目線に連続し、中央部が上方に円弧状に膨れる円弧状切目線とから構成される全体として連続する上部切目線と、上記上部切目線の下側において、当該包装袋の左右外縁より始まり左右熱溶着部より内側の左右の下部変曲部まで下方から上方に向けて上り傾斜に形成された左右対称の上向傾斜切目線と、上記左右の下部変曲部から上記左右の上向傾斜切目線に連続し、中央部が下方に逆台形状に膨れる逆台形状切目線とから構成される全体として連続する下部切目線により構成され、上記上部切目線と上記下部切目線とは上下方向に離間して互いに接触しない状態に構成されると共に、上下切目線の離間距離は、上記左右の上部変曲部と上記左右の下部変曲部間が最少となる状態に構成されており、かつ上記左右の上部変曲部と下部変曲部間に、互いに内側に開口する横向きＶ字型の誘導用切目線が、上記上部切目線と上記下部切目線に接触しない近接した状態で各々形成されており、上記裏面側積層フィルムの上記易開封手段は、上記上部切目線と上記下部切目線の間に位置し、上記包装袋の左外縁から右外縁に至る直線状の切目線から構成され、上記包装袋の左右外縁における上記下向傾斜切目線と上記上向傾斜切目線の中間位置に切込部が形成されているものであることを特徴とする包装袋により構成される。
【００１３】
このように構成すると、左右の下向又は上向傾斜切目線が外側方向に間隔が拡大しているため、製造時に、切込部を左右の傾斜切目線の中間位置に容易に形成することができると共に、上辺部を手前に引いて切断する際、仮に上部切目線に沿って切断されたとしても、上部切目線は上に膨れる円弧状切目線であるので、裏面側の直線状の切断線との接触抵抗を低減することができ、この場合においても、切断線を切目線から離脱することなく、円滑に切断することができ、確実に段差を形成することができる。
【００１４】
第４に、上記裏面側積層フィルムの上記易開封手段は、２本の直線状の切目線から構成されており、当該２本の切目線が、上記上部切目線と上記下部切目線の中間に位置しているものであることを特徴とする上記第１〜３の何れかに記載の包装袋により構成される。
【００１５】
第５に、上記上部変曲部と上記下部変曲部の上下切目線間の距離は、１ｍｍ〜５ｍｍであることを特徴とする上記第１〜４の何れかに記載の包装袋により構成される。
【００１６】
第６に、上記包装袋の内側に吸湿フィルムが積層されているものであることを特徴とする上記第１〜５の何れかに記載の包装袋により構成される。
【発明の効果】
【００１７】
本発明によれば、上辺部を把持して左縁部側から手前引いた場合においても、又は奥側に押した場合においても、さらには、右利きの人が左端部側から引き裂き開始しても、或いは、左利きの人が右端部側から引き裂き開始しても、円滑に開封して開口部に確実に段差を形成することができる。
【００１８】
また、左右の傾斜切目線が外側方向に間隔が拡大しているため、製造時に、例えばＩノッチ等の切込部を左右の傾斜切目線の中間位置に容易に形成することができ、製袋効率をも向上することができる。
【００１９】
また、下部切目線が逆台形状なので、切断線を切目線から離脱することを極力抑止しつつ、上辺部を手前に引いて切断する際、仮に上部切目線に沿って切断されたとしても、切断線を切目線から離脱することなく、円滑に切断することができ、確実に段差を形成することができる。
【００２０】
また、左右の傾斜切目線が外側方向に間隔が拡大しているため、製造時に、切込部を左右の傾斜切目線の中間位置に容易に形成することができ、製袋効率を向上し得ると共に、上辺部を手前に引いて切断する際、仮に上部切目線に沿って切断されたとしても、切断線を切目線から離脱することなく、円滑に切断することができ、確実に段差を形成することができる。
【図面の簡単な説明】
【００２１】
【図１】本発明に係る包装袋の第１の実施形態の正面図である。
【図２】同上包装袋の背面図である。
【図３】同上包装袋の易開封手段近傍の拡大正面図である。
【図４】同上包装袋の左側の易開封手段近傍の拡大正面図である。
【図５】同上包装袋の開封途中の状態を示す同包装袋の正面図である。
【図６】同上包装袋の第２の実施形態の正面図である。
【図７】同上包装袋（図６）の背面図である。
【図８】同上包装袋（図６）の易開封手段近傍の拡大正面図である。
【図９】同上包装袋の第３の実施形態の正面図である。
【図１０】同上包装袋（図９）の背面図である。
【図１１】同上包装袋（図９）の易開封手段近傍の拡大正面図である。
【発明を実施するための形態】
【００２２】
以下、本発明に係る包装袋について詳細に説明する。
【００２３】
（第１の実施形態）
図１、図２は、上記包装袋１を示すものであり、図１は包装袋の表面側積層フィルム２、図２は包装袋の裏面側積層フィルム３を示す。
【００２４】
本件発明の包装袋１は、表面側積層フィルム２と裏面側積層フィルム３の内側のシーラント層同士を対向し、周囲の所定幅を熱溶着することにより形成され、これにより、一定幅Ｔの左側熱溶着部４、右側熱溶着部５、上側熱溶着部６、下側熱溶着部７が形成され、内部空間に内容物が収納される。
【００２５】
尚、表面側積層フィルム２を図示した図１において、紙面に向かって左右を「左右方向」、左右方向を基準に上下を「上下方向」と定義する。従って、裏面側積層フィルム３を図示した図２においては「左右方向」だけ図１と逆になる。また、左右外縁４ａ，５ａより包装袋の中央部方向を「内側」、中央部から左又は右の方向を「外側」と表現する。よって、表面側積層フィルム２においても、裏面側積層フィルム３においても、左外縁から中央部方向を「内側」、右外縁から中央部方向を「内側」という。
【００２６】
また、以下の説明において「切目線」とは、表面側積層フィルム２又は裏面側積層フィルム３の表面に、厚さ方向に貫通しない一定の深さで、レーザー加工により形成された切目線（所謂ハーフカット線）をいう。従って、この切目線は、表面側積層フィルム２又は裏面側積層フィルム３の表面に、貫通しない切目線として形成されており、この切目線に沿って包装袋の上辺部１’を例えば手前に引くことにより、当該切目線に沿って表面側積層フィルム２又は裏面側積層フィルム３を切断し得るものであり、所謂、開封用誘導線をいう。
【００２７】
上記包装袋１において、上下の中央部より、上部側に再封手段８が設けられると共に、上記再封手段８と上辺の熱溶着部（上側熱溶着部６）との間に易開封手段９が形成されている。
【００２８】
また、本発明の包装袋１において、易開封手段９より上側であって、開封時に包装袋から切り取られる片部分を上辺部１’という（図１参照）。
【００２９】
上記再封手段は、周知の構造であり、包装袋の表面側積層フィルム２の内側に左右方向全体に樹脂製凸条を固定し、裏面側積層フィルム３の内側に上記樹脂製凸条に対応する樹脂製凹溝部材を左右全体に固定し、上記樹脂製凸条を上記樹脂製凹溝に着脱自在とし、これにより開口部を再封止できるようにしたものである。
【００３０】
上記表面側積層フィルム２の上記易開封手段９は、以下の構造を有している。
まず、表面側積層フィルム２側の易開封手段９は、１本の上部切目線１０と、該上部切目線１０より下方向に離間した１本の下部切目線１１とにより構成されている。
【００３１】
上記上部切目線１０は、上記表面側積層フィルム２において、当該包装袋１の左右の熱溶着部４，５の左右外縁４ａ，５ａの同一高さより始まり、左右熱溶着部４，５の幅Ｔより内側に入った位置における左右の上部変曲部１２ａ，１２ｂまで、上方から下方に向けて下り傾斜に形成された左右対称の下向傾斜切目線１３ａ，１３ｂと、上記左右の上部変曲部１２ａ，１２ｂから、左右端部が左右の上記下向傾斜切目線１３ａ，１３ｂに連続し、中央部が上方に円弧状に膨れる凸状切目線１４とから構成される、全体として連続する１本の切目線により構成されている。
【００３２】
上記左右の下向傾斜切目線１３ａ，１３ｂは、図３に示すように、左右熱溶着部４，５の外縁４ａ，５ａから内側方向に向けて下り傾斜直線又は上向き円弧状に形成されると共に、上記上部変曲部１２ａ，１２ｂにおいて、下向き円弧状に変曲しつつ、さらに上向き円弧状の上記凸状切目線１４に滑らかに連続するように構成されている。
【００３３】
上記左右の変曲部１２ａ，１２ｂの左右方向の中心位置ａ，ａ’は、左右の熱溶着部４，５の内縁４ｂ，５ｂから内側に各々距離Ｓ，Ｓだけ入った左右位置に形成されており、上記距離Ｓは、上記熱溶着部４，５の幅Ｔの２倍程度とすることが好ましい。何れにしても、上記上部変曲部１２ａ，１２ｂは、左右熱溶着部４，５に近い左右位置に各々設けることが好ましい。
【００３４】
次に、上記下部切目線１１は、上記表面側積層フィルム２において、当該包装袋１の左右の熱溶着部４，５の左右外縁４ａ，５ａの同一高さより始まり、左右熱溶着部４，５の幅Ｔより内側に入った位置における左右の下部変曲部１５ａ，１５ｂまで、下方から上方に向けて上り傾斜に形成された左右対称の上向傾斜切目線１６ａ，１６ｂと、上記左右の下部変曲部１５ａ，１５ｂから、左右端部が上記左右の上向傾斜切目線１６ａ，１６ｂに連続し、中央部が下方に円弧状に膨れる凹状切目線１７とから構成される、全体として連続する１本の切目線により構成されている。
【００３５】
上記左右の上向傾斜切目線１６ａ，１６ｂは、図３に示すように、左右熱溶着部４，５の外縁４ａ，５ａから内側方向に向けて上向き傾斜直線又は下向き円弧状に形成されると共に、上記下部変曲部１５ａ，１５ｂにおいて、上向き円弧状に変曲しつつ、さらに下向き円弧状の上記凹状切目線１７に滑らかに連続するように構成されている。
【００３６】
上記左右の下部変曲部１５ａ，１５ｂの中心位置ａ，ａ’は、左右の熱溶着部４，５の内縁４ｂ，５ｂから内側に各々距離Ｓ，Ｓだけ入った左右位置に形成されており、上記距離Ｓは、上記熱溶着部４，５の幅Ｔの２倍程度とすることが好ましい。従って、上記上部変曲部１２ａ，１２ｂと上記下部変曲部１５ａ，１５ｂとは、表面側積層フィルム２の左右位置において、同一位置に形成されている。何れにしても、上記下部変曲部１５ａ，１５ｂは、上記上部変曲部１２ａ，１２ｂと同様、何れも左右熱溶着部４，５の外縁に近い位置に各々設けることが好ましい。
【００３７】
そして、上記上部切目線１０と上記下部切目線１１とは、上下方向に離間して互いに接触しないように構成すると共に、上下切目線１０，１１の離間距離は、左側の上記上部変曲部１２ａと１５ａ間、上記右側の上記上部変曲部１２ｂと１５ｂ間が最少の離間距離Ｍとなるように構成している。
【００３８】
具体的には、上記上部変曲部１２ａ，１２ｂと下部変曲部１５ａ，１５ｂとの離間距離Ｍは、左右何れも１ｍｍ〜５ｍｍ、好ましくは、２ｍｍ〜５ｍｍとする。勿論、左右の離間距離Ｍは同一とする。
【００３９】
さらに、上記左側の上記上部変曲部１２ａと上記下部変曲部１５ａとの間、及び、上記右側の上記上部変曲部１２ｂと上記下部変曲部１５ｂとの間に、互いに内側に開口する横向きＶ字型の誘導用切目線１８，１９を、上記上部切目線１０（１４）と上記下部切目線１１（１７）に接触しないように各々形成する。
【００４０】
この誘導切目線１８，１９は、左右対称なので、左側の誘導切目線１８について説明し、右側の誘導切目線１９は対応部分の符号をかっこ書で表示する。この誘導切目線１８（１９）は、図４に示すように、上記上部変曲部１２ａ（１２ｂ）と下部変曲部１５ａ（１５ｂ）の間であって、その「Ｖ字」を構成する上側の開き切目線１８ａ（１９ａ）が、上記凸状切目線１４の上向傾斜切目線１４ａ（１４ｂ）に沿って内側方向に延びると共に、その「Ｖ字」を構成する下側の開き切目線１８ｂ（１９ｂ）が、上記凹状切目線１７の下向傾斜切目線１７ａ（１７ｂ）に沿って内側方向に延びるように形成され、かつ、その「Ｖ字」の頂点１８ｃ（１９ｃ）は、外側方向を向いており、後述のＩノッチ２１から水平方向に延長した延長線Ｌ上に形成されている。
【００４１】
そして、上記上側及び下側の開き切目線１８ａ，１８ｂ（１９ａ，１９ｂ）は、上記上下向傾斜切目線１４ａ，１７ａ（１４ｂ，１７ｂ）に近接してはいるが、決して接したり交わることはないように構成される。
【００４２】
上記裏面側積層フィルム３の上記易開封手段９は、以下のように構成されている（図１参照）。
上記上部切目線１０と上記下部切目線１１の中間（間）に位置し、上記包装袋１の左外縁４ａから右外縁５ａに至る直線状の上下２本の切目線２０ａ，２０ｂから構成されている（図３参照）。この２本の切目線の上下の間隔Ｎは１ｍｍ〜５ｍｍ、好ましくは２ｍｍ〜５ｍｍとする。例えば、表面側積層フィルム２の上記上下の切目線の間隔Ｍと、上記裏面側積層フィルム３の上記２本の切目線の間隔Ｎを同一値（例えばＮ＝Ｍ＝２ｍｍ）とした場合は、図３に示すように、上記上下部変曲部１２ａ，１５ａ、１２ｂ，１５ｂの中心位置ａ，ａ’に上記裏面側の切目線２０ａ，２０ｂが接する状態となる。
【００４３】
また、上記裏面側の上側の上記切目線２０ａから表面側の上記凸条切目線１４の最も上部に位置する頂点部１４’までの距離Ｐ１は３ｍｍ〜５ｍｍ、上記下側の切目線２０ｂから表面側の上記凹状切目線１７の最も下部に位置する下向き頂点部１７’までの距離Ｐ２は３ｍｍ〜５ｍｍとすることが好ましい（図３参照）。この距離Ｐ１又はＰ２が、切断縁における段差となって残る距離となる。
【００４４】
さらに、上記包装袋１の左右外縁４ａ，５ａにおける上記下向傾斜切目線１３ａ（１３ｂ）の外端位置１３ａ’（１３ｂ’）と上記上向傾斜切目線１６ａ（１６ｂ）の外端位置１６ａ’（１６ｂ’）との中間位置に切込部としてのＩノッチ２１，２１を各々形成している。
【００４５】
本発明に係る包装袋１は上述のように構成されるものであるから、次に、この包装袋１の開封動作について説明する（図５参照）。
【００４６】
まず、上記右手で上記上辺部１’を以って、左端部から上記上辺部１’を手前側に引いて開封する場合を説明する（図５の方向）。
【００４７】
この場合、左手で包装袋１の下半部を保持し、右手で上記上辺部１’の左端部を以って手前に引くと、左端部のＩノッチ２１から引き裂きが始まり、表面側積層フィルム２では、切断線が変曲部１２ａ，１５ａを通って誘導用切目線１８に至り、手前に引いている関係上、誘導用切目線１８の下側の開き切目線１８ｂに沿って切断されて、その結果、切断線が下部切目線１１の凹状切目線１７に誘導され、そのまま凹状切目線１７に沿って切断され、左側の下部変曲部１５ｂを通って上向傾斜切目線１６ｂを介して右外縁５ａまで切断される。
【００４８】
一方、裏面側積層フィルム３では、上記Ｉノッチ２１から手前側に引かれるため、上記Ｉノッチ２１から始まった引き裂きは、すぐに下側の切断線２０ｂに移行し、その後は、下側の切断線２０ｂに沿って切断線が形成され、右外縁５ａまで引き裂かれる。
【００４９】
その結果、表面側積層フィルム２側は、その中央部は凹状切目線１７に沿って切断されるため、下向凹状切断線２２が形成され、裏面側積層フィルム３は、下側の切目線２０ｂに沿って切断されるため、当該切目線２０ｂに沿った直線状切断線２３が形成される（図５参照）。
【００５０】
このとき、上記下向凹状切断線２２の最も下部の位置と上記直線状切断線２３との間には、距離Ｐ２の段差が生じているので、その後、使用者は上記距離Ｐ２の段差を利用して、包装袋１を容易に開口することができる。
【００５１】
また、上記Ｉノッチ２１から切断線が上記誘導用切目線１８に至らずに、切断線が下向きに移動したとしても、Ｉノッチ２１から始まる引裂線の下方向き延長方向には、必ず下部切目線１１、即ち、上向傾斜切目線１６ａ及び凹状切目線１７が存在しているので、引裂線が下向きにずれても、その引裂線は、必ず下部切目線１１（上向傾斜切目線１６ａ又は凹状切目線１７）に合流するため、その後は下部切目線１１に沿って確実に切断することができる。
【００５２】
次に、右手で上記上辺部１’を以って、左端部から上記上辺部１’を奥側に押して開封する場合を説明する（図５のとは逆の方向）。
【００５３】
この場合、左手で包装袋１の下半部を保持し、右手で上記上辺部１’の左端部を以って奥側に押すと、左端部のＩノッチ２１から引き裂きが始まり、表面側積層フィルム２では、切断線が変曲部１２ａ，１５ａを通って誘導用切目線１８に至り、奥側に押している関係上、誘導用切目線１８の上側の開き切目線１８ａに沿って切断されて、その結果、切断線が上部切目線１１の凸状切目線１４に誘導され、そのまま凸状切目線１４に沿って切断され、右側の上部変曲部１２ｂを通って下向傾斜切目線１３ｂを介して右外縁５ａまで切断される。
【００５４】
一方、裏面側積層フィルム３では、上記Ｉノッチ２１から奥側に押されるため、上記Ｉノッチ２１から始まった引き裂きは、すぐに上側の切断線２０ａに移行し、その後は、上側の切断線２０ａに沿って切断線が形成され、右外縁５ａまで引き裂かれる。
【００５５】
その結果、表面側積層フィルム２側は、その中央部は凸状切目線１４に沿って切断されるため、上向凸状切断線が形成され、裏面側積層フィルム３は、上側の切目線２０ａに沿って切断されるため、当該切目線２０ａに沿った直線状切断線が形成される。
【００５６】
このとき、上記上向凸状切断線の最も上部の位置と上記直線状切断線との間には、距離Ｐ１の段差が生じているので、その後、使用者は上記距離Ｐ１の段差を利用して、包装袋１を容易に開口することができる。
【００５７】
また、上記Ｉノッチ２１から切断線が上記誘導用切目線１８に至らずに、切断線が上向きに移動したとしても、Ｉノッチ２１から始まる引裂線の上方向き延長方向には、必ず上部切目線１０、即ち、下向傾斜切目線１３ａ及び凸状切目線１４が存在しているので、引裂線が上向きにずれても、その引裂線は、必ず上部切目線１０（下向傾斜切目線１３ａ又は凸状切目線１４）に合流するため、その後は上部切目線１１に沿って確実に切断することができる。
【００５８】
また、上記説明は、左手で包装袋１を保持し、右手で上辺部１’を切断する場合であって、主に右利きの人の開封動作について説明したが、左利きの人の開封動作も同様に行うことができる。即ち、左利きの人は、右手で包装袋１を保持し、左手で上辺部１’の右端部を持ち、該右端部を手前に引くか、奥側に押すかの何れかの動作により、上記上辺部１’を切り裂いて開口する。
【００５９】
この場合、本発明に係る包装袋は、上記上部切目１０と下部切目線１１の構成は左右対称なので、上記のような左利きの使用者の開封動作においても、上記右利きの動作と同様の円滑な開封動作を行うことができる。
【００６０】
このように本発明の包装袋では、右利き、左利きに拘わらず、また、上記上辺部１’を手前に引いて開封する場合も、奥側に押して開封する場合も、何れの場合も確実に開封部に段差を形成することができるものである。
【００６１】
また、上部下向傾斜切目線１３ａ（１３ｂ）と下部上向傾斜切目線１６ａ（１６ｂ）は、外縁に向けて両切目線の間隔が順次拡大しており、熱溶着部４，５の左外縁（右外縁）における間隔Ｑが大であるので（図４参照）、製造工程において、両切目線の中間位置に容易にＩノッチ２１を形成することができる、という効果がある。これにより、包装袋の製袋速度を高速化し得る。
（第２の実施形態）
【００６２】
次に、本発明の包装袋１の第２の実施形態を説明する（図６〜図８参照）。
尚、この第２の実施形態において、上記第１の実施形態と同一部分、対応部分には同一符号を付して詳しい説明は便宜上省略する。
【００６３】
この第２の実施形態の上記第１の実施形態との相違点は、上記第１の実施形態では、左右の下向傾斜切目線１３ａ，１３ｂ及び左右の上向傾斜切目線１６ａ，１６ｂによって、易開封手段９の左右端部の２本の切目線が、外側から内側方向に行くにつれて近接していたのに対し、第２の実施形態では、これらの切目線が、直線の上部直線状切目線２４ａ，２４ｂ、及び直線の下部直線状切目線２５ａ，２５ｂにより構成されている点、及び、第１の実施形態では下部切目線１１の中央部が下に凸の円弧状の凹状切目線１７により構成されたのに対し、第２の実施形態では、逆台形状切目線２６により構成されている点が異なる。
【００６４】
即ち、上記表面側積層フィルム２の易開封手段９は、上記表面側積層フィルム２において、当該包装袋１の左右外縁４ａ，５ａより始まり左右熱溶着部４，５より内側の左右の上部変曲部１２ａ，１２ｂまで直線状に形成された上部直線状切目線２４ａ，２４ｂと、上記左右の上部変曲部１２ａ，１２ｂから上記左右の直線状切目線２４ａ，２４ｂに連続し、中央部が上方に円弧状に膨れる円弧状切目線（凸状切目線）１４とから構成される全体として連続する１本の上部切目線１０と、上記上部切目線１０の下側において、当該包装袋１の左右外縁４ａ，５ａより始まり左右熱溶着部４，５より内側の左右の下部変曲部１５ａ，１５ｂまで直線状に形成された下部直線状切目線２５ａ，２５ｂと、上記左右の下部変曲部１５ａ，１５ｂから上記左右の直線状切目線２５ａ，２５ｂに連続し、中央部が下方に逆台形状に膨れる逆台形状切目線２６とから構成される全体として１本の切目線１１とから構成される。
【００６５】
このように、第２の実施形態では、中央部の切目線１０，１１が上下非対象に形成されており、特に、下側が逆台形状、即ち、図８に示すように、左右の下部変曲部１５ａ，１５ｂから下方向きの傾斜直線部２６ａ，２６ｂが形成され、中央部には水平方向に水平直線部２６ｃが形成され、左右の傾斜直線部２６ａ，２６ｂと水平直線部２６ｃとの接続点には、屈曲点２７ａ，２７ｂが形成されている。
【００６６】
第２の実施形態の包装袋は以下の利点を有する。
本来的に、中央部の上方に膨れる切目線と、下方に膨れる切目線は、円弧状に形成するよりは、上下とも台形状、即ち、上方は台形状として、下方は逆台形状とする方が、切断線と切目線からの離脱が起こりにくい。これは、円弧状の切目線であると、切目線の全体が弧状に湾曲しているため、力の入れ方、方向等によっては、どの位置からも切断線が切目線から離脱して、切目線以外の部分が切断される可能性がある。
【００６７】
これに対して、台形状又は逆台形状であれば、切目線が左右の傾斜直線と中央の水平直線の３種の直線により構成され、直線の方向に変化が生ずる点、即ち屈曲点が２か所のみであるので、直線状の切目線では切断線の離脱は起こり難く、仮に、離脱が生ずる可能性があるとしても、２か所の屈曲点のみであるため、全体としてみれば、台形状又は逆台形状の方が切断線の切目線からの離脱が発生し難いといえる。
【００６８】
この場合、上部切目線１０の中央を台形状とした場合、上辺部１’を手前に引いて切断する場合、通常は、表面側積層フィルム２は、下部切目線１１に沿って切断されるが、ごくまれに、上部切目線１０に沿って切断される場合がある。
【００６９】
このとき、上部切目線１０が台形状であると、表面側積層フィルム２の台形状切目線によって切断された凸形状部分と裏面側積層フィルム３の直線状の切断縁が接触してしまい、上辺部を手前に引く抵抗力が大となってしまう。このような表面の凸形状部分と裏面の直線状の切断縁との引っ掛かりが生じた場合、直線の切断縁同士の接触が起き、台形の屈曲点で切断線が離脱する可能性が高くなる。
【００７０】
よって、これを防ぐために、上部切目線１０は、第１の実施形態と同様の、上方に膨らむ円弧状の凸状切目線１４（円弧状切目線１４）としている。
【００７１】
これに対して、上辺部１’を奥側に押して切断する場合においても、まれに下部切目線１１に沿って切断が起こる場合は同様のことが言えるが、そもそも上辺部１’を奥側に押して切断する人は、上辺部１’を手前に引いて切断する人に比べて非常に少ないので、下部切目線１１については、切断線の離脱が生じ難い逆台形状（逆台形状切目線２６）としたものである。
【００７２】
このように第２の実施形態によると、下部切目線１１が逆台形状なので、切断線を切目線から離脱することを極力抑止しつつ、上辺部を手前に引いて切断する際、仮に上部切目線１０に沿って切断されたとしても、上部切目線１０は上に膨れる円弧状切目線１４であるので、裏面側の直線状の切断線２０ａ，２０ｂとの接触抵抗を低減することができ、この場合においても、切断線を切目線から離脱することなく、円滑に切断することができるという効果を奏する。
（第３の実施形態）
【００７３】
次に、本発明の包装袋１の第３の実施形態を説明する（図９〜図１１参照）。
尚、この第３の実施形態において、上記第１，２の実施形態と同一部分、対応部分には同一符号を付して詳しい説明は便宜上省略する。
【００７４】
この第３の実施形態の上記第１の実施形態との相違点は、第１の実施形態では下部切目線１１の中央部が下に凸の円弧状の凹状切目線１７により構成されたのに対し、第３の実施形態では、逆台形状切目線２６により構成されている点が異なる。その他は、第１の実施形態と同様である。
【００７５】
即ち、上記表面側積層フィルム２の上記易開封手段９は、上記表面側積層フィルム２において、当該包装袋１の左右外縁４ａ，５ａより始まり左右熱溶着部４，５より内側の左右の上部変曲部１２ａ，１２ｂまで上方から下方に向けて下り傾斜に形成された左右対称の下向傾斜切目線１３ａ，１３ｂと、上記左右の上部変曲部１２ａ，１２ｂから上記左右の下向傾斜切目線１３ａ，１３ｂに連続し、中央部が上方に円弧状に膨れる円弧状切目線１４とから構成される全体として連続する１本の上部切目線１０と、上記上部切目線１０の下側において、当該包装袋１の左右外縁４ａ，５ａより始まり左右熱溶着部４，５より内側の左右の下部変曲部１５ａ，１５ｂまで下方から上方に向けて上り傾斜に形成された左右対称の上向傾斜切目線１６ａ，１６ｂと、上記左右の下部変曲部１５ａ，１５ｂから上記左右の上向傾斜切目線１６ａ，１６ｂに連続し、中央部が下方に逆台形状に膨れる逆台形状切目線２６とから構成される全体として連続する１本の下部切目線１１により構成する。
【００７６】
そして、上記上部切目線１０と上記下部切目線１１とは上下方向に離間して互いに接触しないように構成すると共に、上下切目線１０，１１の離間距離は、上記左右の上部変曲部１２ａ，１２ｂと上記下部変曲部１５ａ，１５ｂ間が最少となるように構成し、かつ上記左右の上下変曲部間に、互いに内側に開口する横向きＶ字型の誘導用切目線１８，１９を、上記上部切目線１０と上記下部切目線１１に接触しないように近接して各々形成する。
【００７７】
上記裏面側積層フィルム３の上記易開封手段９は、上記上部切目線１０と上記下部切目線１１の間に位置し、上記包装袋１の左外縁から右外縁に至る直線状の切目線２０ａ，２０ｂから構成する。
【００７８】
そして、上記包装袋１の左右外縁における上記下向傾斜切目線１３ａ，１３ｂと、上記上向傾斜切目線１６ａ，１６ｂの中間位置に切込部（Ｉノッチ）２１，２１を形成したものである。
【００７９】
この第３の実施形態によると、上部下向傾斜切目線１３ａ（１３ｂ）と下部上向傾斜切目線１６ａ（１６ｂ）は、外縁に向けて両切目線の間隔が順次拡大しており、熱溶着部４，５の左外縁（右外縁）における間隔Ｑが大であるので、製造工程において、両切目線の中間位置に容易にＩノッチ２１を形成することができる、という効果と共に、下部切目線１１が逆台形状であるので、上辺部１’を以って手前に引いて開口する際、切断線の切目線からの離脱が生じ難いという効果と共に、第２の実施形態と同様に、上部切目線１０が円弧状に形成されているので、上辺部を持って手前に引いて開口する際、仮に上部切目線１０に沿って切断されたとしても、上部切目線１０が屈曲点のない円弧状であるので、上部切目線１０と裏面側の直線状の切目線２０ａ，２０ｂとの接触抵抗が少なく、切断線の切目線からの離脱が生じにくいため、この場合においても、切断線の切目線からの離脱をなくして、円滑に開封して適切な段差を形成することができるという効果を奏する。
【００８０】
尚、表裏の積層フィルムとしては、基材層として例えば二軸延伸ポリエチレンテレフタレートフィルム、中間層としてアルミニウム箔等のバリア性フィルム、最内層のシーラント層としては、低密度ポリエチレン樹脂、直鎖状低密度ポリエチレン樹脂等を用いる。また、最内層のシーラント層にさらに吸湿フィルムを積層して、吸湿性を有する包装袋とすることも可能である。
【００８１】
以上のように本発明によれば、上辺部１’を把持して左縁部側から手前引いた場合においても、又は奥側に押した場合においても、さらには、右利きの人が左端部側から引き裂き開始しても、或いは、左利きの人が右端部側から引き裂き開始しても、円滑に開封して開口部に確実に段差を形成することができる包装袋を実現したものである。
【００８２】
また、左右の傾斜切目線が外側方向に間隔が拡大しているため、製造時に、例えばＩノッチ２１等の切込部を左右の傾斜切目線の中間位置に容易に形成することができ、製袋効率をも向上することができる。
【００８３】
また、下部切目線が逆台形状なので、切断線を切目線から離脱することを極力抑止しつつ、上辺部を手前に引いて切断する際、仮に上部切目線に沿って切断されたとしても、切断線を切目線から離脱することなく、円滑に切断することができ、確実に段差を形成することができる。
【００８４】
また、左右の傾斜切目線が外側方向に間隔が拡大しているため、製造時に、切込部を左右の傾斜切目線の中間位置に容易に形成することができ、製袋効率を向上し得ると共に、上辺部を手前に引いて切断する際、仮に上部切目線に沿って切断されたとしても、切断線を切目線から離脱することなく、円滑に切断することができ、確実に段差を形成することができる。
【産業上の利用可能性】
【００８５】
本発明に係る包装袋によれば、例えば再封可能な包装袋であって、食品、化粧品、医薬品等の包装袋として広く利用が可能である。
【符号の説明】
【００８６】
１              包装袋
２              表面側積層フィルム
３              裏面側積層フィルム
４              左側熱溶着部
４ａ            左外縁
５              右側熱溶着部
５ａ            右外縁
８              再封手段
９              易開封手段
１０            上部切目線
１１            下部切目線
１２ａ，１２ｂ  左右上部変曲部
１３ａ，１３ｂ  左右下向傾斜切目線
１４            凸状切目線、円弧状切目線
１５ａ，１５ｂ  左右下部変曲部
１６ａ，１６ｂ  左右上向傾斜切目線
１８，１９      誘導用切目線
２０ａ，２０ｂ  切目線（裏面側）
２１            Ｉノッチ（切込部）
２４ａ，２４ｂ  左右上部直線状切目線
２５ａ，２５ｂ  左右下部直線状切目線
２６            逆台形状切目線
【要約】
【課題】  切目線に沿って包装袋の上辺部を切断して開封する際に、切目線に沿って確実に誘導して適切な段差を形成し得る包装袋を提供する。
【解決手段】  表面側積層フィルム２の易開封手段９は、中央部が上方に膨れる凸状切目線１４を含む全体として連続する１本の上部切目線１０と、上部切目線１０とは分離しており、中央部が下方に膨れる凹状切目線１７を含む全体として連続する１本の下部切目線１１により構成し、上下の切目線１０，１１間の左右位置に、互いに内側に開口する横向きＶ字型の誘導用切目線１８，１９を、上記上部切目線１０と上記下部切目線１１に接触しないように各々形成し、裏面側積層フィルム３の易開封手段９は包装袋１の左外縁から右外縁に至る直線状の切目線２０ａ，２０ｂとから構成し、包装袋１の左右外縁における上下切目線の中間位置に切込部２１，２１を各々形成した。
【選択図】  図１【図１】
0005941604.tif 000002
【図２】
0005941604.tif 000003
【図３】
0005941604.tif 000004
【図４】
0005941604.tif 000005
【図５】
0005941604.tif 000006
【図６】
0005941604.tif 000007
【図７】
0005941604.tif 000008
【図８】
0005941604.tif 000009
【図９】
0005941604.tif 000010
【図１０】
0005941604.tif 000011
【図１１】
0005941604.tif 000012